(57)【要約】      （修正有）【課題】形成する画像の画質を向上することができる画像形成装置を提供する。【解決手段】画像形成補正部は、転写ベルト３５の表面３８側に向かって光を照射する発光素子４３、発光素子４３によって照射した光の転写ベルト３５の表面３８側からの反射光を受光する受光素子４４、および受光素子４４によって受光した反射光の光量からトナー量を算出するトナー量算出部とを含み、転写ベルト３５の表面３８に形成されたトナーによる可視画像のトナー量を検知するトナー量検知センサー４２と、転写ベルト３５とトナー量検知センサー４２との間の位置に移動可能であって、トナー量検知センサー４２側に白色の面４７を有する白色基準板４６と、所定のタイミングで、トナー量検知センサー４２と転写ベルト３５との間に白色基準板４６を移動させ、白色の面４７を利用してトナー量検知センサー４２を校正するよう制御する制御部とを備える。【選択図】図７
2016099564.tif 000002
【特許請求の範囲】
【請求項１】
トナーによる可視画像を形成する作像ユニットと、
前記作像ユニットによって形成された前記トナーによる可視画像をその上に転写させる転写体と、
所定のタイミングで前記作像ユニットによって前記転写体上に形成される前記可視画像を補正する画像形成補正部とを含み、
前記画像形成補正部は、
前記転写体の表面側に向かって光を照射する発光素子と、前記発光素子によって照射した光の前記転写体の表面側からの反射光を受光する受光素子と、前記発光素子によって照射した光の光量の値および前記受光素子によって受光した前記反射光の光量の値から前記トナー量を算出するトナー量算出部とを含み、前記転写体の表面に形成された前記トナーによる可視画像のトナー量を検知するトナー量検知センサーと、
前記転写体と前記トナー量検知センサーとの間の位置に移動可能であって、前記トナー量検知センサー側に白色の面を有する白色基準部材と、
所定のタイミングで、前記トナー量検知センサーと前記転写体との間に前記白色基準部材を移動させ、前記白色の面を利用して前記トナー量検知センサーを校正するよう制御する制御部とを備える、画像形成装置。
【請求項２】
前記作像ユニットは、それぞれ前記転写体との間で離脱可能であるブラックの作像ユニットと、ブラック以外のカラーの作像ユニットとを含み、
前記制御部は、前記ブラックの作像ユニットが前記転写体と当接し、前記ブラック以外のカラーの作像ユニットが前記転写体から離脱させた状態で作動する、請求項１に記載の画像形成装置。
【請求項３】
前記制御部は、前記ブラック以外のカラーの作像ユニットが前記転写体から離脱の移動に連動させて、前記トナー量検知センサーと前記転写体との間に前記白色基準部材を移動させる、請求項２に記載の画像形成装置。
【請求項４】
前記白色基準部材は、板状の部材を含む、請求項１〜３のいずれか１項に記載の画像形成装置。
【発明の詳細な説明】
【技術分野】
【０００１】
この発明は、画像形成装置に関するものである。
【背景技術】
【０００２】
デジタル複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、給紙された用紙に転写して定着させ、装置外に排出する。
【０００３】
フルカラーの画像を形成することができる画像形成装置においては、イエロー、シアン、マゼンタ、およびブラックの各色を重ね合わせて、フルカラーの画像を形成するものがある。この場合、中間転写体としての転写ベルト等、転写体に一旦各色のトナーを転写した後、用紙にフルカラーの画像を転写する。フルカラーの画像を形成するに際し、発色性や色の再現性を維持するために、所定のタイミングで補正を行う必要がある。補正に際しては、転写体上のトナー量を検知し、適正なトナー量となるよう、現像バイアス値の調整や、露光量の調整、露光のタイミング等の調整を行う。
【０００４】
転写体は、例えば、メンテナンス時に画像形成装置の本体から取り外される場合がある。転写体を取り外したまま画像形成を行うことを回避する観点から、画像形成装置の本体に対する転写体の有無の検知に関する技術が、特開２００９−１５７２０６号公報（特許文献１）に開示されている。
【０００５】
特許文献１によると、現像剤が転写され得るとともに、装置本体に対して着脱可能に組み付けられた転写体と、発光部及び受光部からなる検出部を有し、転写体に転写された現像剤の濃度を検出する濃度検出手段と、転写体に転写された現像剤の濃度を検出しないときに検出部を覆うようにして濃度検出手段を保護するとともに、検出部と対向する部位に反射率が異なる第一反射部及び第二反射部が設けられた保護カバーと、転写体の着脱に連動して、保護カバーを濃度検出手段に対して相対的に変位させる変位手段とを備える画像形成装置が開示されている。そして、変位手段は、転写体が装置本体に装着されているときには、第一反射部が検出部と対向する第一ポジションとし、一方、転写体が装置本体に装着されていないときには、第二反射部が検出部と対向する第二ポジションとすることを特徴としている。
【先行技術文献】
【特許文献】
【０００６】
【特許文献１】特開２００９−１５７２０６号公報
【発明の概要】
【発明が解決しようとする課題】
【０００７】
発光素子や受光素子を用いてトナー量を検知するトナー量検知センサーについては、発光素子によって照射した光の光量の出力値や受光素子によって受光した光の光量の出力値に基づいてトナー量を算出する。算出されたトナー量を基準に画像濃度の補正等を行い、形成する画像の画質を高く保つこととしている。
【０００８】
トナー量を算出するために用いられるトナー量検知センサーについては、発光素子の光の照射の対象となる転写ベルトの表面の経時的な劣化やトナー量検知センサーに付着する紙粉等の影響を排除する観点から、所定のタイミングで出力値の校正、すなわち、キャリブレーションを行う必要がある。キャリブレーションに際し、発光素子に対向する位置に設けられている転写ベルトの表面の状態は、時間が経過するにつれ変化するものであり、このような転写ベルトの表面を基準としてキャリブレーションを行うのは、好ましくはない。特許文献１においては、第一反射部及び第二反射部が設けられた保護カバーは、転写体の着脱に連動して濃度検出手段に対して相対的に変位することとしている。しかし、このような特許文献１に開示の技術では、転写体を着脱しない場合等において、対応することができない。
【０００９】
この発明の目的は、形成する画像の画質を向上することができる画像形成装置を提供することである。
【課題を解決するための手段】
【００１０】
この発明に係る画像形成装置は、トナーによる可視画像を形成する作像ユニットと、作像ユニットによって形成されたトナーによる可視画像をその上に転写させる転写体と、所定のタイミングで作像ユニットによって転写体上に形成される可視画像を補正する画像形成補正部とを含む。画像形成補正部は、転写体の表面側に向かって光を照射する発光素子と、発光素子によって照射した光の転写体の表面側からの反射光を受光する受光素子と、発光素子によって照射した光の光量の値および受光素子によって受光した反射光の光量の値からトナー量を算出するトナー量算出部とを含み、転写体の表面に形成されたトナーによる可視画像のトナー量を検知するトナー量検知センサーと、転写体とトナー量検知センサーとの間の位置に移動可能であって、トナー量検知センサー側に白色の面を有する白色基準部材と、所定のタイミングで、トナー量検知センサーと転写体との間に白色基準部材を移動させ、白色の面を利用してトナー量検知センサーの出力値を校正するよう制御する制御部とを備える。
【発明の効果】
【００１１】
このような画像形成装置によると、トナー量検知センサーを校正するに際し、トナー量検知センサーと転写体との間に白色基準部材を移動させ、白色基準部材の有する白色の面を利用してトナー量検知センサーを校正する。そうすると、転写体の表面を利用することなく、トナー量検知センサーの校正を行うことができ、より精度よくトナー量検知センサーの校正を行うことができる。したがって、このような画像形成装置は、形成する画像の画質を向上することができる。
【図面の簡単な説明】
【００１２】
【図１】この発明の一実施形態に係る画像形成装置をデジタル複合機に適用した場合のデジタル複合機の外観を示す概略図である。
【図２】この発明の一実施形態に係る画像形成装置をデジタル複合機に適用した場合のデジタル複合機の構成を示すブロック図である。
【図３】画像形成部の概略的な構成を示す外観図である。
【図４】トナー量検知センサー付近の概略的な構成を示す外観図である。
【図５】この発明の一実施形態に係るデジタル複合機を用いてトナー量検知センサーの校正を行う場合の処理の内容を示すフローチャートである。
【図６】白色基準板を転写ベルトとトナー量検知センサーとの間の位置に配置させた状態の画像形成部の概略的な構成を示す外観図である。
【図７】白色基準板を転写ベルトとトナー量検知センサーとの間の位置に配置させた状態のトナー量検知センサー付近の概略的な構成を示す外観図である。
【発明を実施するための形態】
【００１３】
以下、この発明の実施の形態を説明する。まず、この発明の一実施形態に係る画像形成装置をデジタル複合機に適用した場合のデジタル複合機の構成について説明する。図１は、この発明の一実施形態に係る画像形成装置をデジタル複合機に適用した場合のデジタル複合機の外観を示す概略図である。図２は、この発明の一実施形態に係る画像形成装置をデジタル複合機に適用した場合のデジタル複合機の構成を示すブロック図である。
【００１４】
図１および図２を参照して、デジタル複合機１１は、デジタル複合機１１全体の制御を行う制御部１２と、デジタル複合機１１側から発信する情報やユーザーの入力内容を表示する表示画面２１を含み、印刷部数や階調性等の画像形成の条件や電源のオンまたはオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り部１４と、手差しで用紙をセットする手差しトレイ２８やサイズの異なる複数枚の用紙を収納可能な給紙カセット群２９を含み、画像形成部１５に供給する用紙をセットする用紙セット部１９と、読み取った画像やネットワーク２５を介して送信された画像データを基に画像を形成する画像形成部１５と、画像形成部１５により用紙に画像を形成した後に用紙を排出する排出トレイ３０と、送信された画像データや入力された画像形成条件等の格納を行うハードディスク１６と、公衆回線２４に接続されており、ファクシミリ送信やファクシミリ受信を行うファクシミリ通信部１７と、ネットワーク２５と接続するためのネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１５】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。デジタル複合機１１は、画像処理に関し、複写機能、プリンター機能、ファクシミリ機能等、複数の機能を有する。さらに、各機能に対しても、詳細に設定可能な機能を有する。
【００１６】
この発明の一実施形態に係るデジタル複合機１１を含む画像形成システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００１７】
次に、デジタル複合機１１に備えられる画像形成部１５の構成について、さらに詳細に説明する。図３は、この発明の一実施形態に係るデジタル複合機１１に備えられる画像形成部１５の概略的な構成を示す断面図である。なお、理解の容易の観点から、図３において、部材のハッチングを省略する。また、図３は、上下方向に延びる平面でデジタル複合機１１を切断した場合の断面図である。
【００１８】
図３を参照して、画像形成部１５は、それぞれ感光体３１ａ、３１ｂ、３１ｃ、３１ｄを含み、イエロー、マゼンタ、シアン、ブラックの各４色に対応する４つの作像ユニット３２ａ、３２ｂ、３２ｃ、３２ｄを含む作像器３３と、画像読み取り部１４によって読み取った画像を基に、４つの作像ユニット３２ａ〜３２ｄにそれぞれ露光するＬＳＵ（Ｌａｓｅｒ  Ｓｃａｎｎｅｒ  Ｕｎｉｔ）３４と、作像ユニット３２ａ〜３２ｄによって形成されたトナーによる可視画像を用紙に転写する前に一時的に転写される中間転写体としての転写ベルト３５とを備える。ＬＳＵ３４については、一点鎖線で概略的に示している。画像形成部１５は、いわゆる４連タンデム形式の現像方式である。
【００１９】
転写ベルト３５は、無端状であって、一対の駆動ローラー３６ａ、３６ｂによって一方方向に回転しながら、イエロー、マゼンタ、シアン、ブラックの４色の作像ユニット３２ａ〜３２ｄにより形成された可視画像を転写される。転写ベルト３５の回転方向は、図３中の矢印Ｄ１で示される。
【００２０】
転写ベルト３５上に転写されたトナーによる可視画像は、搬送されてきた用紙に転写され、図示しない定着ユニットにより用紙に定着される。定着後、用紙はデジタル複合機１１外、具体的には、排出トレイ３０に排出される。トナーによる可視画像が用紙に転写された後、転写ベルト３５上に残存したトナーは、図示しない転写ベルトクリーニングユニットによって除去される。そして、次の画像形成が行われる。
【００２１】
デジタル複合機１１は、ブラックの作像ユニット３２ｄのみを用いたモノクロ印刷が可能である。また、デジタル複合機１１は、イエローの作像ユニット３２ａ、マゼンタの作像ユニット３２ｂ、およびシアンの作像ユニット３２ｃの少なくともいずれか一つを用いたカラー印刷が可能である。
【００２２】
なお、作像ユニット３２ａ〜３２ｄは、転写ベルト３５に対し、離脱させたり、当接させたりすることができる。モノクロ印刷を行う場合、カラーの三色の作像ユニット３２ａ〜３２ｃ、すなわち、イエローの作像ユニット３２ａ、シアンの作像ユニット３２ｂ、マゼンタの作像ユニット３２ｃを、図３中の矢印Ｄ２で示す方向に若干移動させ、転写ベルト３５から離脱させた状態とし、ブラックの作像ユニット３２ｄのみ転写ベルト３５と当接した状態としている。一方、フルカラー印刷を行う場合、全ての作像ユニット３２ａ〜３２ｄを、転写ベルト３５と当接させた状態としている。
【００２３】
また、デジタル複合機１１は、所定のタイミングで作像ユニット３２ａ〜３２ｄによって転写ベルト３５上に形成されるトナーによる可視画像を補正する画像形成補正部４１を備える。画像形成補正部４１は、転写ベルト３５上に転写されたトナーによる可視画像のうちのトナー量を測定するトナー量検知センサー４２を備える。
【００２４】
次に、トナー量検知センサー４２の構成について、簡単に説明する。図４は、トナー量検知センサー４２の構成を示す概略図である。なお、図３においては、トナー量検知センサー４２は、二点鎖線で概略的に示している。
【００２５】
図１〜図４を参照して、トナー量検知センサー４２は、転写ベルト３５を介して、ブラックの作像ユニット３２ｄと反対側に配置されている。トナー量検知センサー４２は、転写ベルト３５の表面３８側に光を照射する発光素子４３と、転写ベルト３５の表面３８側から反射された反射光を受光する受光素子４４と、受光素子４４によって受光した反射光の光量からトナー量を算出するトナー量算出部４５とを備える。発光素子４３の一例として、具体的には、赤外光を照射する赤外発光ダイオードが採用される。また、受光素子４４の一例として、具体的には、赤外受光素子が採用される。
【００２６】
発光素子４３は、転写ベルト３５の表面３８またはトナーによる可視画像３９に向かって、図４中の矢印Ｅ１で示す左斜め上方向に赤外光といった光４８ａを照射する。トナーによる可視画像３９が形成されていない場合には、発光素子４３は、転写ベルト３５の表面３８に向かって光４８ａを照射する。
【００２７】
受光素子４４は、図４中の矢印Ｅ２で示す左斜め下方向に向かうトナーによる可視画像３９からの反射光４８ｂおよび転写ベルト３５の表面３８からの反射光４８ｂのいずれか一方か、またはトナーによる可視画像３９と転写ベルト３５の表面３８との双方からの反射光４８ｂを受光する。トナーによる可視画像３９が転写ベルト３５の表面３８を完全に覆っていれば、トナーによる可視画像３９からの反射光４８ｂのみを受光する。トナーによる可視画像３９が転写ベルト３５の表面３８上に形成されていなければ、転写ベルト３５の表面３８からの反射光４８ｂのみを受光する。トナーによる可視画像３９が転写ベルト３５の表面３８を完全に覆っておらず、トナーによる可視画像３９のトナー量が少なければ、トナーによる可視画像３９と転写ベルト３５の表面３８との双方からの反射光４８ｂを受光する。なお、参考までに、転写ベルト３５の表面３８と垂直な平面４９を一点鎖線で示している。
【００２８】
トナー量検知センサー４２は、その表面３８にトナーによる可視画像３９が形成された転写ベルト３５に対して、図４中の矢印Ｅ１で示す方向に光４８ａを照射する。光４８ａは、トナーによる可視画像３９および転写ベルト３５の表面３８のいずれか一方か、またはトナーによる可視画像３９と転写ベルト３５の表面３８との双方に当たって反射する。反射された反射光４８ｂは、受光素子４４によって受光される。受光素子４４は、受光した光の光量に応じた電流をそれぞれ出力する。トナー量算出部４５は、受光素子４４によって出力された電流を電圧値に変換する。そして、この電圧値に基づいてトナー量を算出する。このようにして、トナー量検知センサー４２は、トナー量を検知する。
【００２９】
トナー量検知センサー４２は、所定のタイミングで、校正が行われる。校正が行われるタイミングは、累積した画像形成の枚数が所定の枚数に達した場合等である。
【００３０】
ここで、画像形成補正部４１は、転写ベルト３５とトナー量検知センサー４２との間の位置に移動可能な白色基準部材としての白色基準板４６を備える。白色基準板４６は、トナー量検知センサー４２の校正を行うために用いられる。白色基準板４６は、図示しない駆動装置によって、転写ベルト３５とトナー量検知センサー４２との間の位置と、この間の位置を外した位置とに移動可能である。具体的には、図３中の矢印Ｄ３で示す方向に移動させて、転写ベルト３５とトナー量検知センサー４２との間の位置に移動させる。また、図３中の矢印Ｄ３で示す方向と逆の方向に移動させて、転写ベルト３５とトナー量検知センサー４２との間を外した位置に移動させる。白色基準板４６については、転写ベルト３５とトナー量検知センサー４２との間の位置に配置された状態を破線で示し、この間の位置を外した位置に配置された状態を実線で示している。
【００３１】
白色基準板４６は、平板状の部材であって、トナー量検知センサー４２側に白色の面４７を有する。なお、この実施形態においては、白色基準板４６の全面が白色となるよう構成されている。この白色基準板４６については、白色の変色度合いが極めて少ないものが好適に用いられ、例えば、酸化の影響が少ないものが好適に用いられる。また絶縁体から構成されているものも好適に用いられる。
【００３２】
なお、白色基準板４６の移動については、上記したイエロー、シアン、マゼンタの三色の作像ユニット３２ａ〜３２ｃと連動している。具体的には、三色の作像ユニット３２ａ〜３２ｃが転写ベルト３５から離脱すると、白色基準板４６が転写ベルト３５とトナー量検知センサー４２との間の位置に移動するよう連動している。この連動については、例えば、図示しないアクチュエーターの同期をとって行われる。
【００３３】
次に、トナー量検知センサー４２の校正を行う場合について説明する。ここでは、所定のタイミング、具体的には、例えば、デジタル複合機１１においてカウントした累積の画像形成の枚数が、１０００枚に達したタイミングで、トナー量検知センサー４２の校正を行う。
【００３４】
図５は、トナー量検知センサー４２の校正を行う場合の処理の内容を示すフローチャートである。図５を参照して、校正を行うに際し、まず、三色のカラーの作像ユニット３２ａ〜３２ｃ、具体的には、イエローの作像ユニット３２ａ、シアンの作像ユニット３２ｂ、およびマゼンタの作像ユニット３２ｃを転写ベルト３５から離脱させる（図５において、ステップＳ１１、以下、「ステップ」を省略する）。そうすると、この作像ユニット３２ａ〜３２ｃの動きに連動して白色基準板４６を移動させ、転写ベルト３５とトナー量検知センサー４２との間の位置に配置させる（Ｓ１２）。
【００３５】
図６は、白色基準板４６を転写ベルト３５とトナー量検知センサー４２との間の位置に配置させた状態の画像形成部１５の概略的な構成を示す断面図である。図７は、白色基準板４６を転写ベルト３５とトナー量検知センサー４２との間の位置に配置させた状態のトナー量検知センサー付近の概略的な構成を示す外観図である。図６は、図３に対応する図であり、図７は、図４に対応する図である。
【００３６】
図６および図７を併せて参照して、白色基準板４６を用いたトナー量検知センサー４２の構成を行う。具体的には、発光素子４３から白色基準板４６の白色の面４７に向かって光４８ａを照射する（Ｓ１３）。照射された光４８ａは、白色基準板４６の白色の面４７によって反射される。白色基準板４６の白色の面４７によって反射された反射光４８ｂを受光素子４４によって受光する（Ｓ１４）。この受光素子４４によって受光した反射光の光量の出力値や発光素子４３によって照射した光４８ａの光量の出力値に基づいて、トナー量検知センサー４２を校正する（Ｓ１５）。その後、白色基準板４６を元の位置、すなわち、図３中の実線で示す位置に移動させる（Ｓ１６）。このようにして校正を行い、トナー量検知センサー４２によるトナー量の検知等を行い、画像の調整等を行う。
【００３７】
このようなデジタル複合機１１によると、トナー量検知センサー４２を校正するに際し、トナー量検知センサー４２と転写ベルト３５との間に白色基準板４６を移動させ、白色基準板４６の有する白色の面４７を利用してトナー量検知センサー４２を校正する。そうすると、転写ベルト３５の表面３８を利用することなく、トナー量検知センサー４２の校正を行うことができ、より精度よくトナー量検知センサー４２の校正を行うことができる。したがって、このようなデジタル複合機１１は、形成する画像の画質を向上することができる。
【００３８】
この場合、イエローの作像ユニット３２ａ、シアンの作像ユニット３２ｂ、およびマゼンタの作像ユニット３２ｃを離脱させた状態で、白色基準板４６を転写ベルト３５とトナー量検知センサー４２との間の位置に移動させ、トナー量検知センサー４２の校正を行っているため、より適切にトナー量検知センサー４２の校正を行うことができる。
【００３９】
また、この場合、白色基準板は、板状の部材であるため、剛性を保つことができ、デジタル複合機１１内のスペースを有効に利用することができる。すなわち、トナー量検知センサーと前記転写体との間を外した位置においても、適切に収容することができる。
【００４０】
なお、上記の実施の形態においては、上記の実施の形態においては、転写体として転写ベルトを適用することとしたが、これに限らず、他の転写体であってもよい。
【００４１】
また、上記の実施の形態においては、白色基準板は、板状の部材から構成されることとしたが、これに限らず、例えば、シート状の部材であったり、箱状の部材であっても構わない。
【００４２】
なお、上記の実施の形態においては、イエローの作像ユニット、シアンの作像ユニット、およびマゼンタの作像ユニットを離脱させた状態で、白色基準板を転写ベルトとトナー量検知センサーとの間の位置に移動させ、トナー量検知センサーの校正を行うこととしたが、これに限らず、全ての作像ユニットが転写ベルトに当接した状態で白色基準板を転写ベルトとトナー量検知センサーとの間の位置に移動させ、トナー量検知センサーの校正を行うこととしてもよく、さらには、他のタイミングでトナー量検知センサーの校正を行うこととしてもよい。
【００４３】
また、上記の実施の形態において、デジタル複合機は、カラーの作像ユニットとして、イエロー、シアン、マゼンタの作像ユニットを備えることとしたが、これに限らず、ブラックの作像ユニットと、ブラック以外のカラーの作像ユニットを備える構成としてもよい。この場合、制御部は、ブラックの作像ユニットが転写ベルトと当接し、ブラック以外のカラーの作像ユニットが転写ベルトから離脱させた状態で作動するよう構成してもよい。
【００４４】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４５】
この発明に係る画像形成装置は、形成する画像の画質の向上が要求される場合に、特に有効に利用される。
【符号の説明】
【００４６】
１１  デジタル複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１ａ，３１ｂ，３１ｃ，３１ｄ  感光体、３２ａ，３２ｂ，３２ｃ，３２ｄ  作像ユニット、３３  作像器、３４  ＬＳＵ、３５  転写ベルト、３６ａ，３６ｂ  駆動ローラー、３８  表面、３９  可視画像、４１  画像形成補正部、４２  トナー量検知センサー、４３  発光素子、４４  受光素子、４５  トナー量算出部、４６  白色基準板、４７，４９  面、４８ａ，４８ｂ  光。
【図１】
2016099564.tif 000003
【図２】
2016099564.tif 000004
【図３】
2016099564.tif 000005
【図４】
2016099564.tif 000006
【図５】
2016099564.tif 000007
【図６】
2016099564.tif 000008
【図７】
2016099564.tif 000009